【手続補正書】
【提出日】平成30年3月28日(2018.3.28)
【手続補正１】
【補正対象書類名】特許請求の範囲
【補正対象項目名】全文
【補正方法】変更
【補正の内容】
【特許請求の範囲】
【請求項１】
ユーザ機器が、ワイヤレスネットワークにおいて複数接続性ワイヤレス通信を使用して通信するための方法であって、
第１の接続を介して第１のアクセスポイントによってサービスされる第１のセルと通信し、前記第１のアクセスポイントから前記第１の接続の第１のキャリアアグリゲーション帯域構成を受信することと、
第２の接続を介して第２のアクセスポイントによってサービスされる第２のセルと通信し、前記第２のアクセスポイントから前記第２の接続の第２のキャリアアグリゲーション帯域構成を受信することと、
前記第１のキャリアアグリゲーション帯域構成に少なくとも部分的に基づいて、前記第１の接続を介して前記第１のアクセスポイントによってサービスされる前記第１のセルと通信するために第１の半二重動作を実行すべきなのか第１の全二重動作を実行すべきなのかを決定することと、
前記第２のキャリアアグリゲーション帯域構成に少なくとも部分的に基づいて、前記第２の接続を介して前記第２のアクセスポイントによってサービスされる前記第２のセルと通信するために第２の半二重動作を実行すべきなのか第２の全二重動作を実行すべきなのかを決定することと
を備える方法において、
前記第２のセルと通信するために第２の半二重動作を実行すべきなのか第２の全二重動作を実行すべきなのかを決定することが、前記第２の接続を介して前記第２のアクセスポイントによってサービスされる前記第２のセルと通信するための前記第２の全二重動作のための送信電力がしきい値よりも小さいかどうかを決定することを備えること、および
全二重動作の一部として通信を受信するために、前記第１の接続を介して前記第１のセルまたは前記第２の接続を介して前記第２のセルのうちの一方と通信することと、
前記全二重動作の一部として通信を送信するために、前記第１の接続を介して前記第１のセルまたは前記第２の接続を介して前記第２のセルのうちの他方と通信することと
によって、前記全二重動作を実行することをさらに備えること
を特徴とする、方法。
【請求項２】
前記第１および第２のキャリアアグリゲーション帯域構成は、それぞれ前記第１および第２のアクセスポイントから受信される、請求項１に記載の方法。
【請求項３】
前記第１の接続および前記第２の接続が、前記全二重動作を実行することに関係する時間間隔中で半二重動作のみをサポートする、請求項１に記載の方法。
【請求項４】
前記第１のセルと通信するために前記第１の半二重動作を実行すべきなのか前記第１の全二重動作を実行すべきなのかを決定すること、または前記第２のセルと通信するために前記第２の半二重動作を実行すべきなのか前記第２の全二重動作を実行すべきなのかを決定することのうちの少なくとも１つが、前記第１の接続および前記第２の接続の各々を使用して通信するための前記ユーザ機器の１つまたは複数の能力に関する構成に少なくとも部分的にさらに基づく、請求項１に記載の方法。
【請求項５】
前記第２のセルと通信するために前記第２の半二重動作を実行すべきなのか前記第２の全二重動作を実行すべきなのかを決定することは、前記第２の全二重動作のための送信電力がしきい値電力よりも小さいと決定することに少なくとも部分的に基づいて、前記第２の全二重動作を実行すると決定することを備える、請求項１に記載の方法。
【請求項６】
ワイヤレスネットワークにおいて複数接続性ワイヤレス通信を使用して通信するための装置であって、
第１の接続を介して第１のアクセスポイントによってサービスされる第１のセルと通信し、前記第１のアクセスポイントから前記第１の接続の第１のキャリアアグリゲーション帯域構成を受信するための手段と、
第２の接続を介して第２のアクセスポイントによってサービスされる第２のセルと通信し、前記第２のアクセスポイントから前記第２の接続の第２のキャリアアグリゲーション帯域構成を受信するための手段と、
前記第１のキャリアアグリゲーション帯域構成に少なくとも部分的に基づいて、前記第１の接続を介して前記第１のアクセスポイントによってサービスされる前記第１のセルと通信するために第１の半二重動作を実行すべきなのか第１の全二重動作を実行すべきなのかを決定するための手段と、
前記第２のキャリアアグリゲーション帯域構成に少なくとも部分的に基づいて、前記第２の接続を介して前記第２のアクセスポイントによってサービスされる前記第２のセルと通信するために第２の半二重動作を実行すべきなのか第２の全二重動作を実行すべきなのかを決定するための手段と
を備える装置において、
前記第２のセルと通信するために第２の半二重動作を実行すべきなのか第２の全二重動作を実行すべきなのかを決定することが、前記第２の接続を介して前記第２のアクセスポイントによってサービスされる前記第２のセルと通信するための前記第２の全二重動作のための送信電力がしきい値よりも小さいかどうかを決定することを備えること、および
全二重動作の一部として通信を受信するために、前記第１の接続を介して前記第１のセルまたは前記第２の接続を介して前記第２のセルのうちの一方と通信することと、
前記全二重動作の一部として通信を送信するために、前記第１の接続を介して前記第１のセルまたは前記第２の接続を介して前記第２のセルのうちの他方と通信することと
によって、前記全二重動作を実行するための手段をさらに備えること
を特徴とする、装置。
【請求項７】
前記第１のセルと通信するための前記手段および前記第２のセルと通信するための前記手段は、共通の通信構成要素であり、
前記第１のセルと通信するために第１の半二重動作を実行すべきなのか第１の全二重動作を実行すべきなのかを決定するための前記手段、前記第２のセルと通信するために第２の半二重動作を実行すべきなのか第２の全二重動作を実行すべきなのかを決定するための前記手段、および前記全二重動作を実行するための前記手段は、半／全二重動作構成要素である、
請求項６に記載の装置。
【請求項８】
前記第１および第２のキャリアアグリゲーション帯域構成は、それぞれ前記第１および第２のアクセスポイントから受信される、請求項６に記載の装置。
【請求項９】
前記第１の接続および前記第２の接続が、前記第１のセルとの前記全二重動作および前記第２のセルとの前記全二重動作を実行することに関係する時間間隔中で半二重動作のみをサポートする、請求項６に記載の装置。
【請求項１０】
前記第１のセルと通信するために前記第１の半二重動作を実行すべきなのか前記第１の全二重動作を実行すべきなのかを決定するための前記手段、または前記第２のセルと通信するために前記第２の半二重動作を実行すべきなのか前記第２の全二重動作を実行すべきなのかを決定するための前記手段が、前記第１の接続および前記第２の接続の各々を使用して通信するための前記装置の１つまたは複数の能力に関する構成に少なくとも部分的にさらに基づいて決定する、請求項６に記載の装置。
【請求項１１】
前記半／全二重動作構成要素は、前記第２の全二重動作のための送信電力がしきい値電力よりも小さいと決定することに少なくとも部分的に基づいて、少なくとも部分的に、前記第２の全二重動作を実行すると決定することによって、前記第２のセルと通信するために前記第２の半二重動作を実行すべきなのか前記第２の全二重動作を実行すべきなのかを決定するように構成された、請求項７に記載の装置。
【請求項１２】
ユーザ機器が、ワイヤレスネットワークにおいて複数接続性ワイヤレス通信を使用して通信するためのコンピュータ実行可能コードを記憶するコンピュータ可読記憶媒体であって、
請求項１ないし５のいずれか一項に記載の方法を実行するためのコード
を備える、コンピュータ可読記憶媒体。